(57)【要約】【課題】幼虫による食害のさらなる拡大を防ぐだけでなく、幼虫による食害を前もって防ぐことのできる、簡便かつ効率的なカミキリムシ類の駆除方法を提供すること。【解決手段】カミキリムシ類の餌木に昆虫病原性糸状菌の培養物を施用する工程を含むカミキリムシ類の駆除方法。【選択図】なし【特許請求の範囲】
【請求項１】
カミキリムシ類の餌木に昆虫病原性糸状菌の培養物を施用する工程を含むカミキリムシ類の駆除方法。
【請求項２】
前記餌木を集積して昆虫病原性糸状菌の培養物を施用する請求項１記載の方法。
【請求項３】
前記昆虫病原性糸状菌がボーベリア・ブロンニアティ（Beauveria brongniartii）、ボーベリア・バッシアナ（Beauveriabassiana）、ボーベリア・アモルファ（Beauveriaamrpha）およびメタリジウム・アニソプリェ（Metarhiziumanisop1iae）からなる群より選ばれる一種以上の糸状菌である請求項１または２記載の方法。
【請求項４】
前記カミキリムシ類がハラアカコブカミキリである請求項１〜３いずれか記載の方法。
【請求項５】
前記カミキリムシ類の餌木がクヌギ、コナラおよびアベマキからなる群より選ばれる一種以上の生木、枯木またはホダ木である請求項１〜４いずれか記載の方法。
【発明の詳細な説明】
【技術分野】
【０００１】
本発明は、樹勢の衰えおよび枯死の原因となるカミキリムシ類を駆除する方法に関する。
【背景技術】
【０００２】
現在、青森と北海道を除く全国に広まっている「マツ」の伝染病である松くい虫被害は、「マツノザイセンチュウ」という体長1mmにも満たない線虫がマツの樹体内に入ることで引き起こされる。その線虫をマツからマツへ運ぶのがマツノマダラカミキリである。一般に松くい虫被害のまん延を防止するため、大半は、運び屋であるマツノマダラカミキリを駆除する方法が取られている。
【０００３】
また、果樹またはカエデ、ケヤキなどの緑化木にはゴマダラカミキリやキボシカミキリが、ウドまたはタラノキにはセンノカミキリが樹木内に生息して樹勢を衰えさせ、被害がひどいと枯死をもたらす。
【０００４】
かかる害虫による被害を食い止めるため、従来から害虫を駆除する種々の方法が採られているが、殺虫剤（化学農薬）を使用する場合は、害虫ばかりでなく人畜など他の生物にも害を与える場合が多い。
【０００５】
そこで近年は、化学農薬の使用量を減少させ、物理的駆除や生物的駆除を組合せた総合的害虫害虫管理が行われるようになってきている。特に生物的駆除方法としてボーベリア・バッシアナ（Beauveria bassiana）、メタリジウム・アニソプリェ（Metarhizium anisop1iae）などの昆虫病原性糸状菌を害虫に感染させて駆除するという試みが、カミキリムシ類の駆除に用いられるようになってきた。
【０００６】
従来、マツノマダラカミキリの駆除においては、枯死した松材を全て切り倒し、集積してその上に、昆虫病原性糸状菌の培養物を施用することで、材内の幼虫や羽化脱出してくる成虫を該培養物に接触させ、産卵前の２週間以内に致死させ、当年の被害を防ぐ方法が報告されている（例えば、特許文献１参照）。
【０００７】
かかる方法では、該培養物を施用した松材の上からビニールシートなどで覆うと、その効果は９０％以上の致死効果を有するが、薫蒸剤のようにビニールシートの機密性は全く要求されず、環境にも負荷を与えない効果的な駆除法であった。
【０００８】
昆虫病原性糸状菌を用いたカミキリムシ類の別の駆除方法としては、カミキリムシに産卵され、その幼虫が生息する被害樹に、例えばシート状の担体を基材とする昆虫病原性糸状菌の培養物を巻きつけ、羽化して出てきた成虫を培養物に接触させて１週間後に致死させる方法が報告されている（例えば、特許文献２参照）。
【０００９】
かかる方法は、羽化後２週間は未成熟である雌成虫を、その間に致死させて、当年の産卵を防ぐ方法である。かかる方法の駆除有効期間は１ヶ月以上と長く、産卵期間が１ヶ月以上のカミキリムシ類の駆除には、有効期間の１〜７日程度の化学農薬と比較して非常に効果があった。
【特許文献１】特開２０００−２３９１１５号公報
【特許文献２】特開平３−９８５６７号公報
【発明の開示】
【発明が解決しようとする課題】
【００１０】
しかしながら、幼虫が生息する枯死木または幼虫が生息する樹木を見つけるのは容易ではなく、前者の方法では枯死木全てを抜倒し処理する必要があり、後者の方法では駆除すべき作物や樹木すべてに、昆虫病原糸菌状の培養物を巻きつける必要があり、非常に手間がかかるという問題があった。
【００１１】
また、シイタケ栽培を業とするものにとって、ホダ木の質はシイタケ収穫量に大きく影響を及ぼすものであり、カミキリムシ類の幼虫の食害によるホダ木の質の低下は深刻な問題となっており、他のホダ木への幼虫による食害の拡大を防ぐだけでなく、ホダ木へのカミキリムシ類の産卵を極力避けることのできる駆除方法が求められている。
【００１２】
従って、本発明の目的は、幼虫による食害のさらなる拡大を防ぐだけでなく、幼虫による食害を前もって防ぐことのできる、簡便かつ効率的なカミキリムシ類の駆除方法を提供することである。
【課題を解決するための手段】
【００１３】
すなわち、本発明は、
〔１〕カミキリムシ類の餌木に昆虫病原性糸状菌の培養物を施用する工程を含むカミキリムシ類の駆除方法、
〔２〕前記餌木を集積して昆虫病原性糸状菌の培養物を施用する前記〔１〕記載の方法、
〔３〕前記昆虫病原性糸状菌がボーベリア・ブロンニアティ（Beauveria brongniartii）、ボーベリア・バッシアナ（Beauveria bassiana）、ボーベリア・アモルファ（Beauveria amrpha）およびメタリジウム・アニソプリェ（Metarhizium anisop1iae）からなる群より選ばれる一種以上の糸状菌である前記〔１〕または〔２〕記載の方法、
〔４〕前記カミキリムシ類がハラアカコブカミキリである前記〔１〕〜〔３〕いずれか記載の方法、ならびに
〔５〕前記カミキリムシ類の餌木がクヌギ、コナラおよびアベマキからなる群より選ばれる一種以上の生木、枯木またはホダ木である前記〔１〕〜〔４〕いずれか記載の方法
に関する。
【発明の効果】
【００１４】
本発明の駆除方法により、すべての樹木や被害木に昆虫病原性糸状菌の培養物を施用する必要がなく、また枯死木全てを抜倒して処理する必要もなく、カミキリムシ類を駆除することが可能となり、樹勢の衰えおよび枯死を抑制することができる。さらに、カミキリムシ類の幼虫による食害のさらなる拡大を防ぐだけでなく、幼虫による食害を前もって防ぐことができる。
【発明を実施するための最良の形態】
【００１５】
本発明の駆除方法は、カミキリムシ類の餌木に昆虫病原性糸状菌の培養物を施用する工程を含むことに一つの大きな特徴を有する。
【００１６】
かかる特徴を有することにより、後食および産卵のため餌木に集まってくるカミキリムシ類に昆虫病原性糸状菌を感染させ死に至らしめ、産卵を防ぐことができ、また、餌木に生息しているカミキリムシ類の幼虫が羽化脱出した直後の成虫に昆虫病原性糸状菌を感染させ死に至らしめ、翌年の産卵を防ぐことができるという効果を発現する。
【００１７】
本発明におけるカミキリムシ類としては、例えば、マツノマダラカミキリ（Monochamus alternatus）、ゴマダラカミキリ（Anoplophora malasiaca）、キボシカミキリ（Psacothea hilaris hilaris）、センノカミキリ（Acalolepta luxuriosa luxuriosa）、ハラアカコブカミキリ（Moechotypa diphysis）などが挙げられる。本発明は、これらの中でも、ハラアカコブカミキリに対して優れた駆除効果を発揮する。
【００１８】
カミキリムシ類の餌木としては、カミキリムシ類が餌とする木であれば特に限定されず、例えば、マツノマダラカミキリが好んで後食するマツ、ゴマダラカミキリ、キボシカミキリなどが好んで後食するカンキツ、イチジクなどの果樹、カエデ、ケヤキなどの緑化木、ハラアカコブカミキリが好んで後食するクヌギ、コナラ、アベマキなどが挙げられ、生木、枯木またはホダ木のいずれであってもよい。中でも、ハラアカコブカミキリ防除の観点から、クヌギ、コナラおよびアベマキが好ましく、そのホダ木がさらに好ましい。これらは単独でまたは二種以上で用いられてもよい。
【００１９】
本発明に用いられる昆虫病原性糸状菌の培養物としては、本発明の効果が発現される限り剤型は特に限定されないが、長期間効果が持続される観点から、培養基材に昆虫病原性糸状菌と培地成分とを含有するものが好ましい。
【００２０】
昆虫病原性糸状菌としては、ボーベリア・ブロンニアティ（Beauveria brongniartii）、ボーベリア・バッシアナ（Beauveria bassiana）、ボーベリア・アモルファ（Beauveria amrpha）、メタリジウム・アニソプリェ（Metarhizium anisop1iae）などの糸状菌が挙げられる。それらの中では、カミキリムシ類に対する特異的な殺虫力の観点から、特にボーベリア・ブロンニアティ（Beauveria brongniartii）およびボーベリア・バッシアナ（Beauveria bassiana）が好ましい。これらは単独でまたは二種以上で用いられてもよい。
【００２１】
培養基材としては、昆虫病原性糸状菌の培地を保持できる基材であればよく、例えば、フスマ、ピートモス、発泡体マトリックス、不織布、織布などが挙げられる。それらの中でも、発泡体マトリックス、不織布、織布などの基材に培地成分を含有させた培養基材が好ましい。
【００２２】
発泡体マトリックスとしては、例えば、特開昭６３−７４４７９号公報、特開昭６３−１９０８０７号公報で開示されたポリウレタンフォーム、ポリスチレン発泡体、塩化ビニル発泡体、ボリエチレン発泡体、ポリスチレン発泡体などが挙げられる。かかる発泡体マトリックスを基材として用いる場合、そのまま用いてもよく、発泡体を生成し得る発泡体組成物を培地成分と共に発泡させて得られる物質を用いてもよい。
【００２３】
培養基材として用いる不織布または織布の素材としては特に限定されず、市販の素材が使用できるが、培地成分の保持性や保水性・親水性、昆虫病原性糸状菌の付着性、炭素源としての利用や天然崩壊性などの点からは、パルプ、レーヨン、ポリエステルなどが特に好ましい。
【００２４】
培養基材の形状は、餌木に簡便且つ確実に設置でき、しかもその有効性を長期間持続させることができる観点、および少数配置するだけで効率よくカミキリムシ類に昆虫病原性糸状菌を感染させることができる観点から、バンド状またはシート状の形状が好ましい。
【００２５】
バンド状またはシート状の培養基材としては、例えば特開昭６３−７４４７９号公報、特開昭６３−１９０８０７号公報で開示された発泡体マトリックス、または不織布、織布などの多孔性で見掛けの表面積が大きい素材、およびこれらを組合せた素材が挙げられる。
【００２６】
培養基材に含有させる培地成分としては、同化が可能な炭素源や窒素源、無機塩類、天然有機物などを含んだ成分が好ましい。炭素源としては、例えば、グルコース、サッカロース、ラクトース、マルトース、グリセリン、デンプン、セルロース糖蜜などが例示できる。窒素源としては、硫酸アンモニウム、塩化アンモニウム、硝酸アンモニウムなどが例示できる。無機塩類としては、リン酸二水素カリウムなどのリン酸塩、硝酸マグネシウム、マグネシウム、カリウム、カルシウムなどが例示できる。天然有機物としては、肉エキス、魚肉摘出液、サナギ粉などの動物組織抽出物や動物組織粉砕物、麦芽エキス、コーンスチープリカー、大豆油などの壇物組織抽出物、乾燥酵母、酵母エキス、ポリペプトンなどの微生物菌体またはその抽出物などが例示できる。これらの培地成分を基材に含有させる方法としては、培地成分を直接塗布する方法や浸漬などによって含有させる方法が例示できる。
【００２７】
昆虫病原性糸状菌の培養物は、培養基材に培地成分を含有させた後に菌を摂取し培養する方法、予め昆虫病原性糸状菌を前培養して得られた培養液と培地成分とを混合した後に得られた混合物を培養基材に含有させる方法などで得ることができる。
【００２８】
昆虫病原性糸状菌の培養物において、昆虫病原性糸状菌の濃度は、例えば、パルプ不織布を用いる場合、１０７個（細胞）／ｃｍ２（培養基材表面）以上であることが好ましく、１０８個（細胞）／ｃｍ２（培養基材表面）以上であることがより好ましい。
【００２９】
当該昆虫病原性糸状菌の培養物の餌木への施用は、特に限定されないが、例えば、パルプ不織布による培養物の餌木への巻き付け、ステープラー係止などで行うことができる。防除効果をさらに向上させるために、施用の際には、カミキリムシ類の餌木を集積して行うことがより好ましい。
【００３０】
施用の時期は、特に限定されないが、駆除効率を高める観点から、駆除対象とするカミキリムシ類のライフサイクルにあわせて施用することが好ましい。一般的に、カミキリムシ類は、樹木の樹皮下に産卵され、孵化した幼虫は樹皮下を食害しながら成長し、春になり気温が上昇すると蛹室で越冬した幼虫は蛹となり、羽化した成虫が樹木から脱出し、交尾・産卵に入る前にしばらく後食行動をとるというライフサイクルを有する。例えば、ハラアカコブカミキリは、８〜１０月に羽化脱出した後、日当たりがよく雨水のかからない比較的乾燥した石や落葉の下、ホダ場原木の枝葉の間、切株の下、屋根瓦や壁などに潜み越冬して、翌年５月までは後食期間が続き、翌年５月から産卵が始まり翌年８月まで続く。
【００３１】
したがって、例えば、ハラアカコブカミキリの駆除を目的とする場合には、８月以降翌年５月までの間に本発明の駆除方法を実施することにより、非常に効率的に、後食および産卵目的で集まってくる成虫を駆除することができ、さらに羽化脱出直後の成虫をも駆除することができる。
【００３２】
本発明を以下の実施例によって説明するが、本発明は以下の実施例によってなんら限定されるものではない。
【実施例】
【００３３】
実施例１
パルプ製の不織布（2.5×50cm）を培養基材として用い、グルコースおよびコーンスチープリカーからなる培地を含有させ、B. brongniartiiを接種し、培養物（培養不織布）を得た。培養不織布における細胞濃度は１０８個（細胞）／ｃｍ２（培養基材表面）であった。
【００３４】
８月初め、クヌギのホダ木内にシイタケ菌糸を蔓延させるために仮伏せをおこなっているビニールシート内のホダ木２０本の隙間に培養不織布（2.5×50cm）５本を適当に施用した。
【００３５】
その結果、１０月上旬に本伏せに移行する際、ビニールシートの覆いを取ったところ、B.brongniartiiにより病死したハラアカコブカミキリ成虫の病死個体１３体が発見された。ホダ木における羽化脱出孔数は計３０孔であった。
【００３６】
比較例１
B.brongniartiiの培養不織布を施用しなかったこと以外は実施例１と同様であった。
【００３７】
その結果、１０月上旬に本伏せに移行する際、ビニールシートの覆いを取ったところ、ハラアカコブカミキリ成虫は見られなかったが、ホダ木における羽化脱出孔数は計３８孔であった。
【００３８】
実施例２
パルプ製の不織布（2.5×50cm）を培養基材として用い、グルコースおよびコーンスチープリカーからなる培地を含有させ、B. brongniartiiを接種し、培養物（培養不織布）を得た。培養不織布における細胞濃度は１０８個（細胞）／ｃｍ２（培養基材表面）であった。
【００３９】
９月初め、既に前年に井桁積みを完了し、当年春の収穫を終えたクヌギのホダ木２０本の上に培養不織布５本をのせ、その上にクヌギの小枝からなる笠木を置いた。
【００４０】
その結果、１０月下旬まで、B. brongniartiiにより病死したハラアカコブカミキリ成虫の病死個体が発見されるようになった。実施例区内における翌年春のシイタケの収量は８５３ｇであった。
【００４１】
比較例２
B. brongniartiiの培養不織布を施用しなかったこと以外は実施例２と同様に実施した。
【００４２】
その結果、１０月下旬まで、ハラアカコブカミキリ成虫は発見されるものの死亡個体は発見されなかった。比較区内における翌年春のシイタケの収量は６３８ｇであった。
【００４３】
実施例３
１０月初め、本格的にシイタケ菌糸を蔓延させるための本伏せ、すなわち、林内で、ホダ木を井桁積みにする際、実施例２で作製した培養不織布５本をのせ、その上にクヌギの小枝からなる笠木を置いた。
【００４４】
その結果、１０月下旬までと、翌年３月初旬からB.brongniartiiにより病死したハラアカコブカミキリ成虫の病死個体が発見されるようになった。実施例区内における翌年春のシイタケの収量は８８０ｇであった。
【００４５】
比較例３
B. brongniartiiの培養不織布を施用しなかったこと以外は実施例３と同様に実施した。
【００４６】
その結果、その後、ハラアカコブカミキリ成虫は発見されるものの、死亡個体は発見されなかった。比較例区内における翌年春のシイタケの収量は６２０ｇであった。
【産業上の利用可能性】
【００４７】
本発明は、カミキリムシ類による樹木の衰えおよび枯死の被害を受けやすいシイタケ栽培などの農業に利用することができる。